(57)【要約】  常に安定したノイズリダクション効果を得ることが可能な放射線画像撮影装置を提供する。  放射線画像撮影装置１において、走査線５に印加する電圧をオン電圧とオフ電圧との間で切り替えるゲート走査線駆動部１５ｂと、電源部４１から供給された電力に基づいてゲート走査線駆動部１５ｂにオン電圧およびオフ電圧を供給する電源回路１５ａと、を備える走査駆動手段１５と、放射線検出素子７から画像データを読み出す読み出しＩＣ１６ｂと、電源部４１から供給された電力に基づいて読み出しＩＣ１６ｂに電力を供給する電源回路１６ａと、を備える読み出し手段１６と、を備え、走査駆動手段１５のグランド端子１５１と読み出し手段１６のグランド端子１６１とは、放射線画像撮影装置１のグランドレベルに接続されているとともに、接続手段５０によって電気的に直接接続されている。
2011161988.tif 000002
【特許請求の範囲】
【請求項１】
放射線画像撮影を行う放射線画像撮影装置において、
互いに交差するように配設された複数の走査線および複数の信号線と、前記複数の走査線および前記複数の信号線により区画された各領域に二次元状に配列された複数の放射線検出素子と、を備える検出部と、
前記放射線検出素子ごとに配置され、接続された前記走査線にオフ電圧が印加されるとオフ状態となるとともに、接続された前記走査線にオン電圧が印加されるとオン状態となり、前記オフ状態では前記放射線検出素子内で発生した電荷を前記放射線検出素子内に蓄積させ、前記オン状態では前記放射線検出素子から前記信号線に前記電荷を放出させるスイッチ手段と、
前記走査線に印加する電圧を前記オン電圧と前記オフ電圧との間で切り替えるゲート走査線駆動部と、前記ゲート走査線駆動部に前記オン電圧および前記オフ電圧を供給する走査駆動用電源回路と、を備える走査駆動手段と、
前記放射線検出素子から放出された前記電荷を画像データに変換することによって、前記放射線検出素子から前記画像データを読み出す読み出し部と、前記読み出し部に電力を供給する読み出し用電源回路と、を備える読み出し手段と、
少なくとも前記走査駆動手段および前記読み出し手段の動作を制御する制御部と、
少なくとも前記走査駆動手段、前記読み出し手段および前記制御部に電力を供給する電源部と、
を備え、
前記走査駆動用電源回路は、前記電源部から供給された電力に基づいて、前記ゲート走査線駆動部に前記オン電圧および前記オフ電圧を供給し、
前記読み出し用電源回路は、前記電源部から供給された電力に基づいて、前記読み出し部に電力を供給し、
前記走査駆動用電源回路のグランド端子および前記読み出し用電源回路のグランド端子は、前記放射線画像撮影装置のグランドレベルに接続され、
さらに、前記走査駆動用電源回路の前記グランド端子と前記読み出し用電源回路の前記グランド端子とを電気的に直接接続する接続手段を備えることを特徴とする放射線画像撮影装置。
【請求項２】
前記走査駆動用電源回路の前記グランド端子は、少なくとも前記電源部を介して、前記電源部のグランドと電気的に接続することで、前記グランドレベルに接続され、
前記読み出し用電源回路の前記グランド端子は、少なくとも前記電源部を介して、前記電源部の前記グランドと電気的に接続することで、前記グランドレベルに接続され、
前記走査駆動用電源回路の前記グランド端子と少なくとも前記電源部との間に挿入され、前記走査駆動手段に対するノイズの侵入を抑制する走査駆動用ノイズ抑制手段と、
前記読み出し用電源回路の前記グランド端子と少なくとも前記電源部との間に挿入され、前記読み出し手段に対するノイズの侵入を抑制する読み出し用ノイズ抑制手段と、
を備えることを特徴とする請求の範囲第１項に記載の放射線画像撮影装置。
【請求項３】
前記読み出し用電源回路の前記グランド端子は、少なくとも前記電源部を介して、前記電源部のグランドと電気的に接続することで、前記グランドレベルに接続され、
前記走査駆動用電源回路の前記グランド端子は、前記接続手段、前記読み出し用電源回路の前記グランド端子および前記電源部を介して前記電源部の前記グランドと電気的に接続することで、前記グランドレベルに接続され、
前記読み出し用電源回路の前記グランド端子と少なくとも前記電源部との間に挿入され、前記走査駆動手段および前記読み出し手段に対するノイズの侵入を抑制するノイズ抑制手段を備えることを特徴とする請求の範囲第１項に記載の放射線画像撮影装置。
【請求項４】
前記走査駆動用電源回路の前記グランド端子は、少なくとも前記電源部を介して、前記電源部のグランドと電気的に接続することで、前記グランドレベルに接続され、
前記読み出し用電源回路の前記グランド端子は、前記接続手段、前記走査駆動用電源回路の前記グランド端子および前記電源部を介して前記電源部の前記グランドと電気的に接続することで、前記グランドレベルに接続され、
前記走査駆動用電源回路の前記グランド端子と少なくとも前記電源部との間に挿入され、前記走査駆動手段および前記読み出し手段に対するノイズの侵入を抑制するノイズ抑制手段を備えることを特徴とする請求の範囲第１項に記載の放射線画像撮影装置。
【請求項５】
放射線画像撮影を行う放射線画像撮影装置において、
互いに交差するように配設された複数の走査線および複数の信号線と、前記複数の走査線および前記複数の信号線により区画された各領域に二次元状に配列された複数の放射線検出素子と、を備える検出部と、
前記放射線検出素子ごとに配置され、接続された前記走査線にオフ電圧が印加されるとオフ状態となるとともに、接続された前記走査線にオン電圧が印加されるとオン状態となり、前記オフ状態では前記放射線検出素子内で発生した電荷を前記放射線検出素子内に蓄積させ、前記オン状態では前記放射線検出素子から前記信号線に前記電荷を放出させるスイッチ手段と、
前記走査線に印加する電圧を前記オン電圧と前記オフ電圧との間で切り替えるゲート走査線駆動部と、前記ゲート走査線駆動部に前記オン電圧および前記オフ電圧を供給する走査駆動用電源回路と、を備える走査駆動手段と、
前記放射線検出素子から放出された前記電荷を画像データに変換することによって、前記放射線検出素子から前記画像データを読み出す読み出し部と、前記読み出し部に電力を供給する読み出し用電源回路と、を備える読み出し手段と、
少なくとも前記走査駆動手段および前記読み出し手段の動作を制御する制御部と、
少なくとも前記走査駆動手段、前記読み出し手段および前記制御部に電力を供給する電源部と、
を備え、
前記走査駆動用電源回路は、前記電源部から供給された電力に基づいて、前記ゲート走査線駆動部に前記オン電圧および前記オフ電圧を供給し、
前記読み出し用電源回路は、前記電源部から供給された電力に基づいて、前記読み出し部に電力を供給し、
前記走査駆動用電源回路と前記読み出し用電源回路とは、共通の電源回路であり、
前記共通の電源回路のグランド端子は、前記放射線画像撮影装置のグランドレベルに接続されていることを特徴とする放射線画像撮影装置。
【請求項６】
前記共通の電源回路の前記グランド端子は、少なくとも前記電源部を介して、前記電源部のグランドと電気的に接続することで、前記グランドレベルに接続され、
前記共通の電源回路の前記グランド端子と少なくとも前記電源部との間に挿入され、前記走査駆動手段および前記読み出し手段に対するノイズの侵入を抑制するノイズ抑制手段を備えることを特徴とする請求の範囲第５項に記載の放射線画像撮影装置。
【請求項７】
前記放射線検出素子にバイアス線を介してバイアス電圧を印加するバイアス電源を備え、
前記走査駆動用電源回路または前記読み出し用電源回路は、前記電源部から供給された電力に基づいて、前記バイアス電源に電力を供給することを特徴とする請求の範囲第１項から第６項のいずれか一項に記載の放射線画像撮影装置。
【発明の詳細な説明】
【技術分野】
【０００１】
本発明は、放射線画像撮影装置に関する。
【背景技術】
【０００２】
照射されたＸ線等の放射線の線量に応じて検出素子で電荷を発生させて電気信号に変換するいわゆる直接型の放射線画像撮影装置や、照射された放射線をシンチレータ等で可視光等の他の波長の電磁波に変換した後、変換され照射された電磁波のエネルギーに応じてフォトダイオード等の光電変換素子で電荷を発生させて電気信号に変換するいわゆる間接型の放射線画像撮影装置が種々開発されている。なお、本発明では、直接型の放射線画像撮影装置における検出素子や、間接型の放射線画像撮影装置における光電変換素子を、あわせて放射線検出素子という。【０００３】
このタイプの放射線画像撮影装置はＦＰＤ（Flat Panel Detector）として知られており、従来は支持台（或いはブッキー装置）と一体的に形成されていたが（例えば特許文献１参照）、近年、放射線検出素子等をハウジングに収納した可搬型の放射線画像撮影装置が開発され、実用化されている（例えば特許文献２、３参照）。【０００４】
このような放射線画像撮影装置では、例えば図１２に示すように、通常、基板の検出部Ｐ上に複数の走査線５と複数の信号線６とが互いに交差するように配設され、走査線５と信号線６とで区画された各領域にそれぞれ放射線検出素子７が二次元状（マトリクス状）に配列されて形成されている。そして、各放射線検出素子７には、スイッチ手段である薄膜トランジスタ（Thin Film Transistor。以下、ＴＦＴという。）８が接続されており、各ＴＦＴ８のドレイン電極（図１２ではＤと表現されている。）がそれぞれ信号線６に接続されている。【０００５】
また、各信号線６は、読み出し手段１６の読み出しＩＣ１６ｂ内に形成された増幅回路１８等を備える各読み出し回路１７に接続されており、各読み出し回路１７の出力側は、マルチプレクサ２１等を介してＡ／Ｄ変換器２０に接続されている。読み出しＩＣ１６ｂでは、例えば１０２４個等の所定個数の読み出し回路１７ごとに１個のＡ／Ｄ変換器２０が設けられるように構成されていることが多い。
また、各放射線検出素子７には、バイアス電源１４からバイアス線９やそれらを結束する結線１０を介してバイアス電圧が印加される。
また、放射線画像撮影装置は、バイアス電源１４や、走査駆動手段１５、読み出し手段１６などの各機能部に電力を供給する電源部４１を備えている。【０００６】
そして、各放射線検出素子７から画像データを読み出す画像データ読み出し処理の際には、走査駆動手段１５のゲート走査線駆動部１５ｂから走査線５の各ラインＬ１〜Ｌｘに順次オン電圧が印加され、ゲート電極（図１２ではＧと表現されている。）にオン電圧が印加されたＴＦＴ８を介して、各放射線検出素子７内に蓄積された電荷が信号線６に放出されて各読み出し回路１７に読み出され、増幅回路１８で電荷電圧変換される等してアナログ値の画像データに変換された後、Ａ／Ｄ変換器２０でデジタル値の画像データ（すなわちいわゆるrawデータ）に変換されて、記憶手段４０に保存される。【０００７】
また、このようにして読み出されたrawデータに対する画像処理においては、通常、各放射線検出素子７から得られた各rawデータに対してそれぞれオフセット補正やゲイン補正などの補正処理が施された後、補正処理された画像データに対して対数変換処理等が施されることで、診断用等の最終的な画像データが作成される。【０００８】
ところで、走査線５と信号線６とが交差する交差部分には、短絡を防止するために、通常、絶縁層が設けられている。そのため、当該交差部分には、走査線５と信号線６とその間の絶縁層でコンデンサ状の構造が形成されている。【０００９】
上記のような走査線５と信号線６との交差部分は、多数の各走査線５（各ラインＬ１〜Ｌｘ）と多数の各信号線６とが交差する非常に多くの部分に形成されている。
走査駆動手段１５のゲート走査線駆動部１５ｂから走査線５の各ラインＬ１〜Ｌｘに順次オン電圧を印加して各放射線検出素子７から画像データを読み出す画像データ読み出し処理を行う場合、１本の走査線５にはオン電圧が印加され、その他の多数の走査線５にはオフ電圧が印加される。
ゲート走査線駆動部１５ｂから印加される電圧（オン電圧やオフ電圧）には、通常、ノイズが生じているため、画像データ読み出し処理では、ゲート走査線駆動部１５ｂから印加される電圧に時間的にランダムに生じているノイズ（ゆらぎ）の影響を受ける。【００１０】
すなわち、画像データ読み出し処理の際には、走査線５と信号線６との交差部分に形成されているコンデンサ状の構造により交差部分に生じている寄生容量で、ゲート走査線駆動部１５ｂから印加される電圧に生じているノイズが電荷的なノイズに変換され、その電荷的なノイズが放射線検出素子７から読み出されるべき真の画像データに重畳されてしまう。【００１１】
なお、画像データ読み出し処理では、走査駆動手段１５のゲート走査線駆動部１５ｂからいずれかの走査線５にオン電圧が印加されるとともに、それ以外の走査線５にオフ電圧が印加され、当該オン電圧が印加されている走査線５にＴＦＴ８を介して接続されている各放射線検出素子７から画像データが読み出されるが、同一の走査線５に接続されている各放射線検出素子７からの画像データには、同一の電荷的なノイズが重畳される。【００１２】
しかしながら、オン電圧を印加する走査線５が次の走査線５に切り替えられた際には、ゲート走査線駆動部１５ｂから印加される電圧に生じるノイズが時間的にランダムに発生するため、当該次の走査線５に接続されている各放射線検出素子７からの画像データには同一の電荷的なノイズが重畳されるが、この電荷的なノイズは、切り替えられる前の走査線５に接続されている各放射線検出素子７からの画像データに重畳された電荷的なノイズとは値が異なる。【００１３】
そのため、このようにして読み出された放射線検出素子７ごとの画像データに基づいて放射線画像を生成すると、走査線方向（通常、この方向は横方向とされる。）に延びる縞状の模様が現れるという現象が生じる。この走査線方向に延びる縞状の模様が生じるような上記のノイズは、一般に、横引きノイズと呼ばれる。【００１４】
このような横引きノイズを効率的にリダクションするために、特許文献１では、入射した放射線を放射線検出部（図１２の検出部Ｐに相当）で検出するステップと、放射線検出部はマトリクス状にアレイされた複数の画素を有し、検出信号を放射線検出部から読み出し部（図１２の走査駆動手段１５および読み出し手段１６に相当）を経由して読み出すステップと、読み出された検出信号を補正部で補正する補正ステップとを有し、補正ステップは、放射線検出部に起因するノイズに対応する第１補正値に基づいて検出信号を補正する第１サブステップと、読み出し部に起因するノイズに対応する第２補正値に基づいて検出信号を補正する第２サブステップとを有し、第２サブステップを第１サブステップよりも前に実行する放射線検出器のノイズリダクション方法について開示されている。ここで、第１補正値は、放射線検出部のゲインノイズと放射線検出部の横引きノイズとに対応する補正値であり、第２補正値は、読み出し部のゲインノイズに対応する補正値である。
さらに、特許文献１では、高精度な補正値を取得するために、読み出し部ゲインノイズを取得する際や、検出部ゲインノイズを取得する際は、読み出し部を放射線検出部から電気的にセパレートすることについても開示されている。
【先行技術文献】
【特許文献】
【００１５】
【特許文献１】特開平９−７３１４４号公報
【特許文献２】特開２００６−０５８１２４号公報
【特許文献３】特開平６−３４２０９９号公報
【特許文献４】特開２００１−９９９４４号公報
【発明の概要】
【発明が解決しようとする課題】
【００１６】
しかしながら、特許文献１記載の技術では、読み出し部ゲインノイズの情報は、読み出し部の初期製造段階で予め測定され、或いは、読み出し部の定期検査時に取得されて、補正部内にストアされている。また、検出部ゲインノイズの情報は、放射線検出部の初期製造段階で予め測定され、或いは、放射線検出部の定期検査時に取得されて、補正部内にストアされている。
この場合、放射線画像撮影装置の動作状態や環境温度などによっては、補正値（ノイズの情報）の取得時と、画像データ読み出し処理時とで、ノイズ成分が異なる可能性があり、常に安定したノイズリダクション効果を得ることが難しいという問題がある。【００１７】
具体的には、放射線画像撮影装置においては、その構成の都合上、走査駆動手段１５と読み出し手段１６とを直近に配置することが難しく、走査駆動手段１５と読み出し手段１６とを離して配置することが多い。また、その際、走査駆動手段１５のＧＮＤ電位と読み出し手段１６のＧＮＤ電位とを同一にするために、走査駆動手段１５のグランド端子１５１や読み出し手段１６のグランド端子１６１を電源部４１のグランドＧＮＤと接続することで放射線画像撮影装置のグランドレベルに接続しているが、走査駆動手段１５のグランド端子１５１と電源部４１のグランドＧＮＤとの間のインピーダンスと、読み出し手段１６のグランド端子１６１と電源部４１のグランドＧＮＤとの間のインピーダンスとに差が生じる場合が多い。
このような場合、走査駆動手段１５のＧＮＤ電位と読み出し手段１６のＧＮＤ電位とを同一にするために、走査駆動手段１５のグランド端子１５１や読み出し手段１６のグランド端子１６１を放射線画像撮影装置のグランドレベルに接続しているにも関わらず、走査駆動手段１５と読み出し手段１６との間にインピーダンス起因によるＧＮＤ電位差が生じてしまう。【００１８】
さらに、読み出し手段１６は、走査駆動手段１５よりも消費電流が大きく、走査駆動手段１５の消費電流と、読み出し手段１６の消費電流とに差があるため、走査駆動手段１５と読み出し手段１６との間には電流起因によるＧＮＤ電位差も生じてしまう。【００１９】
ところで、走査駆動手段１５のＧＮＤ電位や読み出し手段１６のＧＮＤ電位には、通常、図１３に示すように、ゆらぎが生じている。具体的には、図１３に示すように、消費電流の大きい読み出し手段１６の方が、ＧＮＤ電位のゆらぎの波形の振幅が大きくなる。なお、図１３には、走査駆動手段１５のＧＮＤ電位のゆらぎの波形（図１３で破線で示す波形）と、読み出し手段１６のＧＮＤ電位のゆらぎの波形（図１３で実線で示す波形）とにおいて、位相や周波数が同一である場合が示されているが、これらの波形は、位相や周波数が互いに異なる場合もある。【００２０】
走査駆動手段１５のＧＮＤ電位や読み出し手段１６のＧＮＤ電位にゆらぎが生じると、当該ゆらぎに付随して、ゲート走査線駆動部１５ｂに対する電源回路１５ａからの電源や、読み出しＩＣ１６ｂに対する電源回路１６ａからの電源がゆらいでしまい、放射線の照射により発生した真の画像データにノイズが重畳されてしまう。【００２１】
例えば、前述した横引きノイズは、走査線５と信号線６との交差部分に生じている寄生容量に蓄積される電荷量が時間変動することによって生じる。詳述すると、走査線５の電圧と信号線６の電圧との差により走査線５と信号線６との交差部分に生じている寄生容量に電荷が蓄積されるが、横引きノイズは、走査線５に印加される電圧に、信号線６の電圧に対する相対的なゆらぎが生じ、この相対的なゆらぎに伴い当該寄生容量に蓄積される電荷量が時間変動することによって生じる。
したがって、当該寄生容量に蓄積される電荷量が時間変動することなく一定であれば、すなわち、走査線５に印加される電圧に、信号線６の電圧に対する相対的なゆらぎが生じなければ、横引きノイズが生じることはない。【００２２】
つまり、前述したように、走査駆動手段１５と読み出し手段１６との間には、インピーダンス起因によるＧＮＤ電位差や、電流起因によるＧＮＤ電位差が生じている。そのため、走査駆動手段１５のＧＮＤ電位や読み出し手段１６のＧＮＤ電位のゆらぎに付随して、図１３に斜線で示される領域で表すように、走査駆動手段１５と読み出し手段１６との間のＧＮＤ電位差にゆらぎが生じてしまう。
そして、このような走査駆動手段１５と読み出し手段１６との間のＧＮＤ電位差のゆらぎが原因で、走査線５に印加される電圧に、信号線６の電圧に対する相対的なゆらぎが生じ、横引きノイズのノイズが生じてしまう。【００２３】
オフセット補正やゲイン補正などの補正処理で、走査駆動手段１５と読み出し手段１６との間のＧＮＤ電位差のゆらぎが原因のノイズ成分、具体的には横引きノイズ成分等を除去することは可能である。しかしながら、放射線画像撮影装置の動作状態や環境温度などによっては、補正値の取得時と、画像データ読み出し処理時とで、ＧＮＤ電位差のゆらぎが原因のノイズ成分が異なる可能性があり、常に安定したノイズリダクション効果を得ることが難しいという問題がある。【００２４】
補正処理を行ったとしても、常に安定したノイズリダクション効果が得られないと、ノイズ成分を完全に除去できない場合が生じてしまう。このような場合、放射線画像の画質が低下してしまい、例えば、画質が低下した放射線画像を用いて診断を行うと、病変部を見落としたり、正常な部分を病変部と見誤ったりして誤診が生じる等の不都合が生じてしまう虞がある。そのため、放射線画像撮影装置には、常に適切な画質の放射線画像を得るために、常に安定したノイズリダクション効果を得ることが望まれる。【００２５】
本発明は、上記の問題点を鑑みてなされたものであり、常に安定したノイズリダクション効果を得ることが可能な放射線画像撮影装置を提供することを目的とする。
【課題を解決するための手段】
【００２６】
前記の問題を解決するために、本発明の放射線画像撮影装置は、
放射線画像撮影を行う放射線画像撮影装置において、
互いに交差するように配設された複数の走査線および複数の信号線と、前記複数の走査線および前記複数の信号線により区画された各領域に二次元状に配列された複数の放射線検出素子と、を備える検出部と、
前記放射線検出素子ごとに配置され、接続された前記走査線にオフ電圧が印加されるとオフ状態となるとともに、接続された前記走査線にオン電圧が印加されるとオン状態となり、前記オフ状態では前記放射線検出素子内で発生した電荷を前記放射線検出素子内に蓄積させ、前記オン状態では前記放射線検出素子から前記信号線に前記電荷を放出させるスイッチ手段と、
前記走査線に印加する電圧を前記オン電圧と前記オフ電圧との間で切り替えるゲート走査線駆動部と、前記ゲート走査線駆動部に前記オン電圧および前記オフ電圧を供給する走査駆動用電源回路と、を備える走査駆動手段と、
前記放射線検出素子から放出された前記電荷を画像データに変換することによって、前記放射線検出素子から前記画像データを読み出す読み出し部と、前記読み出し部に電力を供給する読み出し用電源回路と、を備える読み出し手段と、
少なくとも前記走査駆動手段および前記読み出し手段の動作を制御する制御部と、
少なくとも前記走査駆動手段、前記読み出し手段および前記制御部に電力を供給する電源部と、
を備え、
前記走査駆動用電源回路は、前記電源部から供給された電力に基づいて、前記ゲート走査線駆動部に前記オン電圧および前記オフ電圧を供給し、
前記読み出し用電源回路は、前記電源部から供給された電力に基づいて、前記読み出し部に電力を供給し、
前記走査駆動用電源回路のグランド端子および前記読み出し用電源回路のグランド端子は、前記放射線画像撮影装置のグランドレベルに接続され、
さらに、前記走査駆動用電源回路の前記グランド端子と前記読み出し用電源回路の前記グランド端子とを電気的に直接接続する接続手段を備えることを特徴とする。【００２７】
また、本発明の放射線画像撮影装置は、
放射線画像撮影を行う放射線画像撮影装置において、
互いに交差するように配設された複数の走査線および複数の信号線と、前記複数の走査線および前記複数の信号線により区画された各領域に二次元状に配列された複数の放射線検出素子と、を備える検出部と、
前記放射線検出素子ごとに配置され、接続された前記走査線にオフ電圧が印加されるとオフ状態となるとともに、接続された前記走査線にオン電圧が印加されるとオン状態となり、前記オフ状態では前記放射線検出素子内で発生した電荷を前記放射線検出素子内に蓄積させ、前記オン状態では前記放射線検出素子から前記信号線に前記電荷を放出させるスイッチ手段と、
前記走査線に印加する電圧を前記オン電圧と前記オフ電圧との間で切り替えるゲート走査線駆動部と、前記ゲート走査線駆動部に前記オン電圧および前記オフ電圧を供給する走査駆動用電源回路と、を備える走査駆動手段と、
前記放射線検出素子から放出された前記電荷を画像データに変換することによって、前記放射線検出素子から前記画像データを読み出す読み出し部と、前記読み出し部に電力を供給する読み出し用電源回路と、を備える読み出し手段と、
少なくとも前記走査駆動手段および前記読み出し手段の動作を制御する制御部と、
少なくとも前記走査駆動手段、前記読み出し手段および前記制御部に電力を供給する電源部と、
を備え、
前記走査駆動用電源回路は、前記電源部から供給された電力に基づいて、前記ゲート走査線駆動部に前記オン電圧および前記オフ電圧を供給し、
前記読み出し用電源回路は、前記電源部から供給された電力に基づいて、前記読み出し部に電力を供給し、
前記走査駆動用電源回路と前記読み出し用電源回路とは、共通の電源回路であり、
前記共通の電源回路のグランド端子は、前記放射線画像撮影装置のグランドレベルに接続されていることを特徴とする。
【発明の効果】
【００２８】
本発明のような方式の放射線画像撮影装置によれば、走査駆動用電源回路のグランド端子および読み出し用電源回路のグランド端子は、電源部のグランドと電気的に接続され、走査駆動用電源回路のグランド端子と読み出し用電源回路のグランド端子とを電気的に直接接続する接続手段を備えている。或いは、走査駆動用電源回路と読み出し用電源回路とは、共通の電源回路であり、共通の電源回路のグランド端子は、電源部のグランドと電気的に接続されている。【００２９】
したがって、走査駆動手段のＧＮＤ電位のゆらぎと、読み出し手段のＧＮＤ電位のゆらぎとが一致し、走査駆動手段と読み出し手段との間にＧＮＤ電位差が生じないため、走査駆動手段と読み出し手段との間のＧＮＤ電位差のゆらぎが原因のノイズが発生することがない。そのため、走査駆動手段と読み出し手段との間のＧＮＤ電位差のゆらぎが原因のノイズが重畳されていない画像データを読み出すことができる。【００３０】
これにより、動作状態や環境温度などの変化の影響を受けない常に安定したノイズリダクション効果を得ることが可能となり、常に適切な画質の放射線画像を得ることができる。そのため、このような放射線画像を用いて診断を行うような場合に、医師等が病変部を見落としたり、正常な部分を病変部と見誤ったりして誤診が生じる等の不都合が生じることを的確に防止することが可能となる。
【図面の簡単な説明】
【００３１】
【図１】各実施形態に係る放射線画像撮影装置を示す斜視図である。
【図２】図１におけるＸ−Ｘ線に沿う断面図である。
【図３】基板の構成を示す平面図である。
【図４】図３の基板上の小領域に形成された放射線検出素子とＴＦＴ等の構成を示す拡大図である。
【図５】図４におけるＹ−Ｙ線に沿う断面図である。
【図６】ＣＯＦやＰＣＢ基板等が取り付けられた基板を説明する側面図である。
【図７】第１の実施の形態に係る放射線画像撮影装置の等価回路を表すブロック図である。
【図８】第１の実施の形態の変形例１の一例に係る放射線画像撮影装置の等価回路を表すブロック図である。
【図９】第１の実施の形態の変形例１の他の一例に係る放射線画像撮影装置の等価回路を表すブロック図である。
【図１０】第１の実施の形態の変形例２に係る放射線画像撮影装置の等価回路を表すブロック図である。
【図１１】第２の実施の形態に係る放射線画像撮影装置の等価回路を表すブロック図である。
【図１２】従来の放射線画像撮影装置の等価回路を表すブロック図である。
【図１３】従来の放射線画像撮影装置における、走査駆動手段のＧＮＤ電位のゆらぎと、読み出し手段のＧＮＤ電位のゆらぎとを示す図である。
【発明を実施するための形態】
【００３２】
以下、図面を参照して、本発明に係る放射線画像撮影装置の実施の形態について説明する。ただし、本発明は図示例に限定されるものではない。
【００３３】
なお、本実施形態では、放射線画像撮影装置が、シンチレータ等を備え、照射された放射線を可視光等の他の波長の電磁波に変換し、放射線検出素子で電気信号である画像データに変換する、いわゆる間接型の放射線画像撮影装置である場合について説明するが、本発明はその場合に限定されず、シンチレータ等を介さずに放射線を放射線検出素子で直接検出する、いわゆる直接型の放射線画像撮影装置に対しても適用可能である。
また、本実施形態では、放射線画像撮影装置が可搬型である場合について説明するが、本発明はその場合に限定されず、例えば、支持台と一体的に形成された固定型の放射線画像撮影装置に対しても適用可能である。
【００３４】
［第１の実施の形態］
図１は、本実施形態に係る放射線画像撮影装置の外観斜視図であり、図２は、図１のＸ−Ｘ線に沿う断面図である。
本実施形態に係る放射線画像撮影装置１は、図１や図２に示すように、筐体２内にシンチレータ３や基板４などが収納された可搬型（カセッテ型）の装置として構成されている。放射線画像撮影装置１は、放射線画像撮影に用いられ、放射線を検出して放射線量に応じた画像データを生成して取得するものである。
【００３５】
筐体２は、少なくとも放射線の照射を受ける側の面Ｒ（以下、放射線入射面Ｒという。）が放射線を透過するカーボン板やプラスチックなどの材料で形成されている。
なお、図１や図２では、筐体２がフレーム板２Ａとバック板２Ｂとで形成された、いわゆる弁当箱型である場合が示されているが、筐体２を一体的に角筒状に形成した、いわゆるモノコック型とすることも可能である。
【００３６】
また、図１に示すように、本実施形態では、筐体２の側面部分に、電源スイッチ３６や、ＬＥＤ等で構成されたインジケータ３７、電源部４１（後述する図７参照）が有するバッテリの交換等のために開閉可能とされた蓋部材３８などが配置されている。また、本実施形態では、蓋部材３８の側面部に、外部装置と無線方式で通信するための通信手段であるアンテナ装置３９が埋め込まれている。
【００３７】
なお、アンテナ装置３９の設置位置は蓋部材３８の側面部に限らず、放射線画像撮影装置１の任意の位置にアンテナ装置３９を設置することが可能である。
また、設置するアンテナ装置３９は１個に限らず、複数設けることも可能である。
さらに、外部装置と有線方式で通信するように構成することも可能であり、その場合は、例えば、通信手段として、ケーブル等を差し込むなどして接続するための接続端子等が放射線画像撮影装置１の側面部等に設けられる。
【００３８】
筐体２の内部には、図２に示すように、基板４の下方側に図示しない鉛の薄板等を介して基台３１が配置され、基台３１には、電子部品３２等が配設されたＰＣＢ基板３３や緩衝部材３４などが取り付けられている。なお、本実施形態では、基板４やシンチレータ３の放射線入射面Ｒ側には、それらを保護するためのガラス基板３５が配設されている。
【００３９】
シンチレータ３は、基板４の後述する検出部Ｐに対向する状態で配置されている。シンチレータ３は、例えば、蛍光体を主成分とし、放射線の入射を受けると３００〜８００ｎｍの波長の電磁波、すなわち可視光を中心とした電磁波に変換して出力するものが用いられる。
【００４０】
基板４は、本実施形態では、ガラス基板で構成されており、図３に示すように、基板４のシンチレータ３に対向する側の面４ａ上には、複数の走査線５と複数の信号線６とが互いに交差するように配設されている。基板４の面４ａ上の複数の走査線５および複数の信号線６により区画された各領域ｒには、それぞれ放射線検出素子７が設けられている。
【００４１】
このように、走査線５と信号線６とで区画された各領域ｒに二次元状に配列された複数の放射線検出素子７が設けられた領域ｒ全体、すなわち図３に一点鎖線で示される領域が検出部Ｐとされる。
【００４２】
本実施形態では、放射線検出素子７としてフォトダイオードが用いられているが、この他にも例えばフォトトランジスタ等を用いることも可能である。
各放射線検出素子７は、図３や図３の拡大図である図４に示すように、スイッチ手段として機能するＴＦＴ８のソース電極８ｓに接続されている。また、ＴＦＴ８のドレイン電極８ｄは信号線６に接続されている。
【００４３】
そして、ＴＦＴ８は、後述する走査駆動手段１５により、接続された走査線５にオン電圧が印加され、当該走査線５を介してゲート電極８ｇにオン電圧が印加されるとオン状態となり、放射線検出素子７内で発生し蓄積されている電荷を当該放射線検出素子７から信号線６に放出させるようになっている。
また、ＴＦＴ８は、接続された走査線５にオフ電圧が印加され、当該走査線５を介してゲート電極８ｇにオフ電圧が印加されるとオフ状態となり、放射線検出素子７から信号線６への電荷の放出を停止し、放射線検出素子７内で発生した電荷を当該放射線検出素子７内に保持して蓄積させるようになっている。
【００４４】
ここで、本実施形態における放射線検出素子７やＴＦＴ８の構造について、図５に示す断面図を用いて簡単に説明する。図５は、図４におけるＹ−Ｙ線に沿う断面図である。
【００４５】
基板４の面４ａ上に、ＡｌやＣｒなどからなるＴＦＴ８のゲート電極８ｇが走査線５と一体的に積層されて形成されており、ゲート電極８ｇ上および面４ａ上に積層された窒化シリコン（ＳｉＮｘ）等からなるゲート絶縁層８１上のゲート電極８ｇの上方部分に、水素化アモルファスシリコン（ａ−Ｓｉ）等からなる半導体層８２を介して、放射線検出素子７の第１電極７４と接続されたソース電極８ｓと、信号線６と一体的に形成されるドレイン電極８ｄとが積層されて形成されている。
【００４６】
ソース電極８ｓとドレイン電極８ｄとは、窒化シリコン（ＳｉＮｘ）等からなる第１パッシベーション層８３によって分割されており、さらに第１パッシベーション層８３は両電極８ｓ、８ｄを上側から被覆している。また、半導体層８２とソース電極８ｓやドレイン電極８ｄとの間には、水素化アモルファスシリコンにVI族元素をドープしてｎ型に形成されたオーミックコンタクト層８４ａ、８４ｂがそれぞれ積層されている。以上のようにしてＴＦＴ８が形成されている。
【００４７】
また、放射線検出素子７の部分では、基板４の面４ａ上にゲート絶縁層８１と一体的に形成される絶縁層７１の上にＡｌやＣｒなどが積層されて補助電極７２が形成されており、補助電極７２上に第１パッシベーション層８３と一体的に形成される絶縁層７３を挟んでＡｌやＣｒ、Ｍｏなどからなる第１電極７４が積層されている。第１電極７４は、第１パッシベーション層８３に形成されたホールＨを介してＴＦＴ８のソース電極８ｓに接続されている。なお、補助電極７２は必ずしも設けられなくても良い。
【００４８】
第１電極７４の上には、水素化アモルファスシリコンにVI族元素をドープしてｎ型に形成されたｎ層７５、水素化アモルファスシリコンで形成された変換層であるｉ層７６、水素化アモルファスシリコンにIII族元素をドープしてｐ型に形成されたｐ層７７が下方から順に積層されて形成されている。
【００４９】
そして、放射線画像撮影時に、放射線画像撮影装置１に対して照射された放射線が筐体２の放射線入射面Ｒから入射し、シンチレータ３で可視光等の電磁波に変換され、変換された電磁波が図中上方から照射されると、電磁波は放射線検出素子７のｉ層７６に到達して、ｉ層７６内で電子正孔対が発生する。放射線検出素子７は、このようにして、シンチレータ３から照射された電磁波を電荷（電子正孔対）に変換するようになっている。
【００５０】
また、ｐ層７７の上には、ＩＴＯ等の透明電極とされた第２電極７８が積層されて形成されており、照射された電磁波がｉ層７６等に到達するように構成されている。本実施形態では、以上のようにして放射線検出素子７が形成されている。なお、ｐ層７７、ｉ層７６、ｎ層７５の積層の順番は上下逆であっても良い。また、本実施形態では、放射線検出素子７として、上記のようにｐ層７７、ｉ層７６、ｎ層７５の順に積層されて形成されたいわゆるｐｉｎ型の放射線検出素子を用いる場合が説明されているが、これに限定されない。
【００５１】
放射線検出素子７の第２電極７８の上面には、第２電極７８を介して放射線検出素子７にバイアス電圧を印加するバイアス線９が接続されている。なお、放射線検出素子７の第２電極７８やバイアス線９、ＴＦＴ８側に延出された第１電極７４、ＴＦＴ８の第１パッシベーション層８３等、すなわち放射線検出素子７とＴＦＴ８の上面部分は、その上方側から窒化シリコン（ＳｉＮｘ）等からなる第２パッシベーション層７９で被覆されている。
【００５２】
図３や図４に示すように、本実施形態では、それぞれ列状に配置された複数の放射線検出素子７に１本のバイアス線９が接続されており、各バイアス線９はそれぞれ信号線６に平行に配設されている。また、各バイアス線９は、基板４の検出部Ｐの外側の位置で１本の結線１０に結束されている。
【００５３】
本実施形態では、図３に示すように、各走査線５や各信号線６、バイアス線９の結線１０は、それぞれ基板４の端縁部付近に設けられた入出力端子（パッドともいう）１１に接続されている。各入出力端子１１には、図６に示すように、後述する走査駆動手段１５のゲート走査線駆動部１５ｂを構成するゲートＩＣ１２ａ等のチップがフィルム上に組み込まれたフレキ基板ＣＯＦ（Chip On Film）１２が異方性導電接着フィルム（Anisotropic Conductive Film）や異方性導電ペースト（Anisotropic Conductive Paste）などの異方性導電性接着材料１３を介して接続されている。
【００５４】
また、フレキ基板ＣＯＦ１２は、基板４の裏面４ｂ側に引き回され、裏面４ｂ側でＰＣＢ基板３３に接続されている。このようにして、放射線画像撮影装置１の基板４部分が形成されている。なお、図６では、電子部品３２等の図示が省略されている。
【００５５】
ここで、放射線画像撮影装置１の回路構成について説明する。図７は本実施形態に係る放射線画像撮影装置１の等価回路を表すブロック図である。
【００５６】
前述したように、基板４の検出部Ｐの各放射線検出素子７は、その第２電極７８にそれぞれバイアス線９が接続されており、各バイアス線９は結線１０に結束されてバイアス電源１４に接続されている。バイアス電源１４は、結線１０および各バイアス線９を介して各放射線検出素子７の第２電極７８にそれぞれバイアス電圧を印加するようになっている。
【００５７】
本実施形態では、放射線検出素子７のｐ層７７側（図５参照）に第２電極７８を介してバイアス線９が接続されていることからも分かるように、バイアス電源１４からは、放射線検出素子７の第２電極７８にバイアス線９を介してバイアス電圧として放射線検出素子７の第１電極７４側にかかる電圧以下の電圧（すなわちいわゆる逆バイアス電圧）が印加されるようになっている。
【００５８】
なお、本実施形態では、図７に示すように、バイアス電源１４は、読み出し手段１６の電源回路１６ａおよび制御部２２を介して電源部４１と配線（電源ライン）で結ばれており、制御部２２および読み出し手段１６の電源回路１６ａを介して電源部４１から電力が供給されるように構成されている。また、バイアス電源１４のグランド端子１４１は、電源回路１６ａのグランド端子１６１と配線（ＧＮＤライン）で結ばれている。
また、本実施形態では、図７に示すように、バイアス電源１４は、読み出し手段１６の電源回路１６ａを介して制御部２２と配線で結ばれており、読み出し手段１６の電源回路１６ａを介して制御部２２から制御信号が入力されるように構成されているが、これに限定されることはなく、バイアス電源１４を、制御部２２と配線で直接結んで、制御部２２から制御信号が直接入力されるように構成しても良い。
【００５９】
各放射線検出素子７の第１電極７４はＴＦＴ８のソース電極８ｓ（図７中ではＳと表記されている。）に接続されており、各ＴＦＴ８のゲート電極８ｇ（図７中ではＧと表記されている。）は、後述する走査駆動手段１５のゲート走査線駆動部１５ｂから延びる各走査線５にそれぞれ接続されている。また、各ＴＦＴ８のドレイン電極８ｄ（図７中ではＤと表記されている。）は、各信号線６にそれぞれ接続されている。
【００６０】
走査駆動手段１５は、本実施形態では、ゲート走査線駆動部１５ｂにオン電圧やオフ電圧を供給する走査駆動用電源回路として機能する電源回路１５ａと、各走査線５、すなわち走査線５の各ラインＬ１〜Ｌｘに印加する電圧をオン電圧とオフ電圧との間で切り替えるゲート走査線駆動部１５ｂと、を備えている。
【００６１】
走査駆動手段１５の電源回路１５ａは、電源部４１から供給された電力に基づいて、走査線５の各ラインＬ１〜Ｌｘを介してＴＦＴ８のゲート電極８ｇに印加するオン電圧およびオフ電圧を、ゲート走査線駆動部１５ｂに対して供給するように構成されている。
なお、本実施形態では、図７に示すように、走査駆動手段１５の電源回路１５ａは、制御部２２を介して電源部４１と配線で結ばれており、制御部２２を介して電源部４１から電力が供給されるように構成されている。また、走査駆動手段１５のグランド端子１５１（具体的には、走査駆動手段１５の電源回路１５ａのグランド端子１５１）は、ノイズ抑制手段５１（後述）、制御部２２および電源部４１を介して電源部４１のグランドＧＮＤと配線で結ばれており、ノイズ抑制手段５１、制御部２２および電源部４１を介して電源部４１のグランドＧＮＤと電気的に接続することで、放射線画像撮影装置１のグランドレベルに接続、すなわち接地されている。
【００６２】
ゲート走査線駆動部１５ｂは、ゲートＩＣ１２ａがフィルム上に組み込まれたフレキ基板ＣＯＦ１２が複数並設されて形成されており、走査線５の各ラインＬ１〜Ｌｘを介してＴＦＴ８のゲート電極８ｇに印加する電圧をオン電圧とオフ電圧との間で切り替えて、各ＴＦＴ８のオン状態とオフ状態とを切り替えるように構成されている。
なお、本実施形態では、図７に示すように、ゲート走査線駆動部１５ｂは、走査駆動手段１５の電源回路１５ａを介して制御部２２と配線で結ばれており、走査駆動手段１５の電源回路１５ａを介して制御部２２から制御信号が入力されるように構成されているが、これに限定されることはなく、ゲート走査線駆動部１５ｂを、制御部２２と配線で直接結んで、制御部２２から制御信号が直接入力されるように構成しても良い。
【００６３】
読み出し手段１６は、本実施形態では、読み出しＩＣ１６ｂに電力を供給する読み出し用電源回路として機能する電源回路１６ａと、各放射線検出素子７から放出された電荷を画像データに変換することによって、各放射線検出素子７から画像データを読み出す読み出し部として機能する読み出しＩＣ１６ｂと、を備えている。
本実施形態では、読み出し手段１６は、走査駆動手段１５が収められている基板とは別の基板に収められているとともに、バイアス電源１４と同一の基板に収められていることとする。
【００６４】
読み出し手段１６の電源回路１６ａは、電源部４１から供給された電力に基づいて、読み出しＩＣ１６ｂを構成する各部やバイアス電源１４に対して電力を供給するように構成されている。
なお、本実施形態では、図７に示すように、読み出し手段１６の電源回路１６ａは、制御部２２を介して電源部４１と配線で結ばれており、制御部２２を介して電源部４１から電力が供給されるように構成されている。また、読み出し手段１６のグランド端子１６１（具体的には、読み出し手段１６の電源回路１６ａのグランド端子１６１）は、ノイズ抑制手段５２（後述）、制御部２２および電源部４１を介して電源部４１のグランドＧＮＤと配線で結ばれており、ノイズ抑制手段５２、制御部２２および電源部４１を介して電源部４１のグランドＧＮＤと電気的に接続することで、放射線画像撮影装置１のグランドレベルに接続、すなわち接地されている。
【００６５】
読み出しＩＣ１６ｂは、増幅回路１８や相関二重サンプリング回路１９などで構成されている読み出し回路１７と、アナログマルチプレクサ２１と、Ａ／Ｄ変換器２０と、を備えている。なお、図７中では、相関二重サンプリング回路１９はＣＤＳと表記されている。
【００６６】
図７に示したように、各信号線６は、読み出しＩＣ１６ｂ内に形成された各読み出し回路１７にそれぞれ接続されている。なお、各読み出しＩＣ１６ｂには所定個数の読み出し回路１７がそれぞれ設けられており、読み出しＩＣ１６ｂが複数設けられることによって、信号線６の本数分の読み出し回路１７が設けられている。
【００６７】
例えば、放射線画像撮影の際、被写体を介して放射線画像撮影装置１に放射線が照射されると、シンチレータ３で放射線が他の波長の電磁波に変換されて、その直下の放射線検出素子７に照射される。そして、放射線検出素子７で照射された放射線の線量（電磁波の光量）に応じて電荷が発生する。
【００６８】
各放射線検出素子７から画像データを読み出す画像データ読み出し処理においては、走査駆動手段１５のゲート走査線駆動部１５ｂから走査線５の各ラインＬ１〜Ｌｘを介してゲート電極８ｇにオン電圧が印加されたＴＦＴ８がオン状態となり、放射線検出素子７から信号線６に電荷が放出される。
そして、放射線検出素子７から放出された電荷量に応じて増幅回路１８から電圧値が出力され、それを相関二重サンプリング回路１９で相関二重サンプリングしてアナログ値の画像データがアナログマルチプレクサ２１に出力される。アナログマルチプレクサ２１から順次出力された画像データは、Ａ／Ｄ変換器２０で順次デジタル値の画像データに変換され、記憶手段４０に出力されて順次保存されるようになっている。
【００６９】
なお、本実施形態では、図７に示すように、読み出しＩＣ１６ｂは、読み出し手段１６の電源回路１６ａを介して制御部２２と配線で結ばれており、読み出し手段１６の電源回路１６ａを介して制御部２２から制御信号が入力されたり、読み出し手段１６の電源回路１６ａを介して制御部２２にデジタル値の画像データを出力したりするように構成されているが、これに限定されることはなく、読み出しＩＣ１６ｂを、制御部２２と配線で直接結んで、制御部２２から制御信号が直接入力されたり、制御部２２にデジタル値の画像データを直接出力したりするように構成しても良い。
【００７０】
制御部２２は、図示しないＣＰＵ（Central Processing Unit）やＲＯＭ（Read Only Memory）、ＲＡＭ（Random Access Memory）、入出力インターフェースなどがバスに接続されたコンピュータ、ＦＰＧＡ（Field Programmable Gate Array）等により構成されている。なお、制御部２２は、専用の制御回路で構成されていても良い。
【００７１】
制御部２２は、放射線画像撮影装置１の各機能部の動作等を制御する。
具体的には、例えば、制御部２２は、バイアス電源１４を制御して各放射線検出素子７に印加する逆バイアス電圧を制御したり、走査駆動手段１５を制御して走査線５に印加する電圧をオン電圧とオフ電圧との間で切り替えたり、読み出し手段１６を制御して各放射線検出素子７からの画像データの読み出しを行ったりして、各放射線検出素子７から画像データを読み出す画像データ読み出し処理を行う。
そして、各放射線検出素子７から読み出された各画像データは、制御部２２により制御される図示しないメモリコントローラによって、記憶手段４０の画像記憶領域に保存される。
【００７２】
図７等に示すように、制御部２２には、ＤＲＡＭ（Dynamic ＲＡＭ）等で構成される記憶手段４０やアンテナ装置３９が接続されており、さらに、図７では図示を省略するが、電源スイッチ３６やインジケータ３７などが接続されている。
また、制御部２２には、バイアス電源１４や、走査駆動手段１５、読み出し手段１６、制御部２２などの、放射線画像撮影装置１の各機能部に電力を供給するための電源部４１が接続されている。
【００７３】
電源部４１は、図７に示すように、制御部２２を介して走査駆動手段１５（具体的には走査駆動手段１５の電源回路１５ａ）に電力を供給することにより、放射線画像撮影装置１の各機能部のうちの走査駆動手段１５に電力を供給するように構成されている。
また、電源部４１は、図７に示すように、制御部２２を介して読み出し手段１６（具体的には読み出し手段１６の電源回路１６ａ）に電力を供給することにより、放射線画像撮影装置１の各機能部のうちの読み出し手段１６やバイアス電源１４に電力を供給するように構成されている。
【００７４】
ここで、走査駆動手段１５や、読み出し手段１６、制御部２２などの各機能部のグランド端子は、各機能部のＧＮＤ電位を同一にするために、電源部４１のグランドＧＮＤと電気的に接続することで、放射線画像撮影装置１のグランドレベルに接続、すなわち接地されている。
具体的には、例えば、図７に示すように、走査駆動手段１５のグランド端子１５１（すなわち、走査駆動手段１５の電源回路１５ａのグランド端子１５１）は、ノイズ抑制手段５１（後述）、制御部２２および電源部４１を介して電源部４１のグランドＧＮＤと配線で結ばれている。また、読み出し手段１６のグランド端子１６１（すなわち、読み出し手段１６の電源回路１６ａのグランド端子１６１）は、ノイズ抑制手段５２（後述）、制御部２２および電源部４１を介して電源部４１のグランドＧＮＤと配線で結ばれている。
【００７５】
さらに、走査駆動手段１５のグランド端子１５１と読み出し手段１６のグランド端子１６１とは、接続手段５０によって電気的に直接接続されている。
なお、接続手段５０としては、後述するように走査駆動手段１５のグランド端子１５１と読み出し手段１６のグランド端子１６１との間を低インピーダンス接続できるものであれば、その材質や形状などは任意であり、具体的には、金具や線材などが好ましく用いられる。
【００７６】
また、図７に示すように、走査駆動手段１５のグランド端子１５１と、制御部２２および電源部４１との間には、走査駆動手段１５に対する制御部２２や電源部４１からのノイズの侵入を抑制する走査駆動用ノイズ抑制手段として機能するノイズ抑制手段５１が挿入されている。同様に、読み出し手段１６のグランド端子１６１と、制御部２２および電源部４１との間には、バイアス電源１４や読み出し手段１６に対する制御部２２や電源部４１からのノイズの侵入を抑制する読み出し用ノイズ抑制手段として機能するノイズ抑制手段５２が挿入されている。
なお、ノイズ抑制手段５１、５２としては、制御部２２や電源部４１からのノイズ、具体的にはデジタルノイズや電流変動によるノイズなどのノイズの侵入を抑制できるものであれば、その構成は任意であり、具体的には、フィルタや、ＦＰＣ（Flexible Printed Circuits）、フェライトビーズ、抵抗などが好ましく用いられる。
【００７７】
次に、本実施形態にかかる放射線画像撮影装置１の作用について説明する。
【００７８】
まず、制御部２２は、放射線画像撮影において、放射線画像撮影装置１に放射線が照射されて各放射線検出素子７内で発生して蓄積された電荷すなわち画像データを、できるだけ正確に取得するために、放射線の照射に先立って、各放射線検出素子７内に残存している余分な電荷を各放射線検出素子７から放出させて各放射線検出素子７をリセットするリセット処理を行うように構成されている。
このリセット処理は、走査駆動手段１５から走査線５にオン電圧を印加して放射線検出素子７から信号線６に余分な電荷を放出させることによって実現することができる。
【００７９】
次に、制御部２２は、走査駆動手段１５のゲート走査線駆動部１５ｂから全ての走査線５、すなわち走査線５の全てのラインＬ１〜Ｌｘにオフ電圧を印加して各ＴＦＴ８をオフ状態にすることによって、放射線の照射により各放射線検出素子７内で発生した電荷を各放射線検出素子７内に蓄積させる電荷蓄積処理を行うように構成されている。
【００８０】
次に、制御部２２は、走査駆動手段１５から走査線５にオン電圧を印加することによって放射線検出素子７から信号線６に当該放射線検出素子７に蓄積された電荷を放出させ、読み出し回路１７に当該放出された電荷を画像データに変換させることによって、各放射線検出素子７から画像データを読み出す画像データ読み出し処理を行うように構成されている。
【００８１】
さらに、本実施形態において、制御部２２は、放射線画像撮影に引き続いて、放射線画像を補正するための補正用暗画像の取得を行うように構成されている。
【００８２】
各放射線検出素子７内では、各放射線検出素子７自体の熱による熱励起等によりいわゆる暗電荷が常時発生しており、各放射線検出素子７から画像データを読み出す画像データ読み出し処理の際には、各放射線検出素子７から、放射線の照射により発生した真の画像データである電荷の他に暗電荷も読み出され、暗電荷によるオフセット分が重畳された画像データが読み出される。
そのため、制御部２２は、読み出された画像データから暗電荷によるオフセット分を差し引いて真の画像データを得るために、放射線画像撮影に引き続いて補正用暗画像の取得を行って、放射線画像撮影装置１に放射線を照射しない状態で当該放射線画像撮影装置１を放置した後、各放射線検出素子７から暗電荷によるオフセット分のデータ（暗画像データ）をオフセット補正値として読み出すように構成されている。
【００８３】
具体的には、例えば、制御部２２は、放射線画像撮影時の画像データ読み出し処理が終了すると、その時点で放射線画像撮影を終了して、補正用暗画像の取得を開始する。そして、まず、放射線画像撮影時のリセット処理の場合と同様にして、各放射線検出素子７をリセットするリセット処理を行う。
【００８４】
次に、制御部２２は、放射線画像撮影時の電荷蓄積処理の場合と同様にして、各放射線検出素子７内で発生した電荷を各放射線検出素子７内に蓄積させる電荷蓄積処理を行う。その際、放射線画像撮影装置１が補正用暗画像の取得を行っている間は、当該放射線画像撮影装置１に対して放射線が照射されないため、各放射線検出素子７には暗電荷のみが蓄積される。
【００８５】
次に、制御部２２は、放射線画像撮影時の画像データ読み出し処理の場合と同様にして、各放射線検出素子７から画像データを読み出す画像データ読み出し処理を行う。その際、補正用暗画像の取得時の電荷蓄積処理において各放射線検出素子７に蓄積される電荷は暗電荷であるため、補正用暗画像の取得時の画像データ読み出し処理では各放射線検出素子７から暗画像データが読み出される。
【００８６】
なお、補正用暗画像の取得は、放射線画像撮影の前に行うことも可能である。
また、補正用暗画像の取得時のリセット処理、電荷蓄積処理および画像データ読み出し処理を繰り返して複数回実行し、毎回得られる暗画像データの平均値を正式な暗画像データとして採用することも可能である。
【００８７】
そして、制御部２２は、放射線画像撮影時の画像データ読み出し処理により得られた放射線画像の画像データと、補正用暗画像の取得時の画像データ読み出し処理により得られた暗画像データとを、アンテナ装置３９から外部装置に送信する。
これにより、外部装置で、当該暗画像データ、すなわちオフセット補正値に基づいて、当該放射線画像の画像データに対するオフセット補正が行われる。
また、外部装置には、放射線画像撮影装置１用のゲイン補正値が予め記憶されており、外部装置で、当該ゲイン補正値に基づいて、当該放射線画像の画像データに対するゲイン補正が行われるように構成されている。
【００８８】
なお、本実施形態では、外部装置で、オフセット補正やゲイン補正などの補正処理を行うように構成したが、これに限ることはなく、放射線画像撮影装置１で当該補正処理を行い、例えば、当該補正処理が施された画像データを、外部装置に送信するように構成しても良い。
【００８９】
ここで、まず、前述した、走査駆動手段１５のグランド端子１５１と読み出し手段１６のグランド端子１６１とが電気的に直接接続されていない従来の放射線画像撮影装置について再度説明する。
【００９０】
放射線画像撮影装置においては、その構成の都合上、走査駆動手段１５と読み出し手段１６とを直近に配置することが難しく、本実施形態のように、走査駆動手段１５と読み出し手段１６とは離れて配置されることが多い。そのため、走査駆動手段１５のグランド端子１５１と電源部４１のグランドＧＮＤとの間のインピーダンスと、読み出し手段１６のグランド端子１６１と電源部４１のグランドＧＮＤとの間のインピーダンスとに差が生じる場合が多い。
このような場合、走査駆動手段１５のＧＮＤ電位と読み出し手段１６のＧＮＤ電位とを同一にするために、走査駆動手段１５のグランド端子１５１や読み出し手段１６のグランド端子１６１を放射線画像撮影装置１のグランドレベルに接続しているにも関わらず、走査駆動手段１５と読み出し手段１６との間にインピーダンス起因によるＧＮＤ電位差が生じてしまう。
【００９１】
さらに、読み出し手段１６は、走査駆動手段１５よりも消費電流が大きく、走査駆動手段１５の消費電流と、読み出し手段１６の消費電流とに差があるため、走査駆動手段１５と読み出し手段１６との間には電流起因によるＧＮＤ電位差も生じてしまう。
【００９２】
ところで、走査駆動手段１５のＧＮＤ電位（すなわち、走査駆動手段１５の電源回路１５ａのＧＮＤ電位）や、読み出し手段１６のＧＮＤ電位（すなわち、読み出し手段１６の電源回路１６ａのＧＮＤ電位）には、通常、図１３に示すように、ゆらぎが生じている。
走査駆動手段１５のＧＮＤ電位や読み出し手段１６のＧＮＤ電位にゆらぎが生じると、当該ゆらぎに付随して、ゲート走査線駆動部１５ｂに対する電源回路１５ａからの電源（電力）や、読み出しＩＣ１６ｂに対する電源回路１６ａからの電源（電力）がゆらいでしまい、放射線の照射により発生した真の画像データにノイズが重畳されてしまう。
【００９３】
例えば、前述した横引きノイズは、走査線５と信号線６の交差部分に生じている寄生容量に蓄積される電荷量が時間変動することによって生じる。詳述すると、走査線５の電圧と信号線６の電圧との差により走査線５と信号線６とバイアス線の交差部分に生じている寄生容量に電荷が蓄積されるが、横引きノイズは、走査線５に印加される電圧に、信号線６の電圧に対する相対的なゆらぎが生じ、この相対的なゆらぎに伴い当該寄生容量に蓄積される電荷量が時間変動することによって生じる。
したがって、当該寄生容量に蓄積される電荷量が時間変動することなく一定であれば、すなわち、走査線５に印加される電圧に、信号線６の電圧に対する相対的なゆらぎが生じなければ、横引きノイズが生じることはない。
つまり、走査駆動手段１５のＧＮＤ電位や読み出し手段１６のＧＮＤ電位がゆらいでも、これらの波形が一致し、走査駆動手段１５と読み出し手段１６との間のＧＮＤ電位差にゆらぎが生じなければ、ＧＮＤ電位のゆらぎが相殺されて、当該寄生容量に蓄積される電荷量が一定となり、横引きノイズが生じることはない。
【００９４】
しかしながら、走査駆動手段１５のグランド端子１５１と読み出し手段１６のグランド端子１６１とが電気的に直接接続されていないと、走査駆動手段１５と読み出し手段１６との間に、インピーダンス起因によるＧＮＤ電位差や、電流起因によるＧＮＤ電位差が生じてしまうため、走査駆動手段１５のＧＮＤ電位や読み出し手段１６のＧＮＤ電位のゆらぎに付随して、図１３に斜線で示される領域で表すように、走査駆動手段１５と読み出し手段１６との間のＧＮＤ電位差にゆらぎが生じてしまう。
【００９５】
また、例えば、ゲート走査線駆動部１５ｂに対する電源回路１５ａからの電源（電力）に生じているノイズや、読み出しＩＣ１６ｂに対する電源回路１６ａからの電源（電力）に生じているノイズを除去するために、電源回路１５ａとゲート走査線駆動部１５ｂとの間や、電源回路１６ａと読み出しＩＣ１６ｂとの間に、ノイズを除去するためのフィルタ等を挿入したとしても、当該フィルタで、電源回路１５ａや電源回路１６ａで発生したノイズは除去できるものの、ＧＮＤ電位のゆらぎに起因するノイズは除去できないため、やはり、走査駆動手段１５と読み出し手段１６との間のＧＮＤ電位差にゆらぎが生じてしまう。
【００９６】
これに対し、本実施形態では、走査駆動手段１５のグランド端子１５１と読み出し手段１６のグランド端子１６１とを、接続手段５０によって電気的に直接接続することで、走査駆動手段１５と読み出し手段１６との間にＧＮＤ電位差が生じないように、すなわち、走査駆動手段１５のＧＮＤ電位のゆらぎの波形と、読み出し手段１６のＧＮＤ電位のゆらぎの波形とが一致するようにしている。これにより、ＧＮＤ電位差のゆらぎが原因のノイズ、具体的には走査線５に印加される電圧のゆらぎに起因するノイズ（横引きノイズなど）等が重畳されていない画像データを読み出すことが可能となる。
【００９７】
したがって、接続手段５０としては、走査駆動手段１５と読み出し手段１６との間にＧＮＤ電位差が生じることを防止できる程度に、走査駆動手段１５のグランド端子１５１と読み出し手段１６のグランド端子１６１との間を低インピーダンス接続できるものであれば、その材質や形状などは任意である。
【００９８】
さらに、走査線５と信号線６とが交差する部分だけでなく、バイアス線９や結線１０と信号線６とが交差する部分にも、バイアス線９（或いは結線１０）と信号線６とその間の絶縁層でコンデンサ状の構造が形成されている。したがって、このバイアス線９（或いは結線１０）と信号線６との交差部分に生じている寄生容量で、バイアス電圧に生じるノイズが電荷的なノイズに変換され、その電荷的なノイズが放射線検出素子７から読み出されるべき真の画像データに重畳されてしまう可能性がある。
また、放射線検出素子７自体も、第１電極７４と第２電極７８との間に変換層であるｉ層７６が介在するコンデンサ状の構造を有しており、第２電極７８にバイアス電圧が印加される。したがって、コンデンサ状の構造を有する放射線検出素子７自体に生じる寄生容量で、バイアス電圧に生じるノイズが電荷的なノイズに変換され、その電荷的なノイズが放射線検出素子７から読み出されるべき真の画像データに重畳されてしまう可能性もある。
【００９９】
これに対し、本実施形態では、走査駆動手段１５のグランド端子１５１と読み出し手段１６のグランド端子１６１とを、接続手段５０によって電気的に直接接続するとともに、バイアス電源１４のグランド端子１４１と読み出し手段１６のグランド端子１６１とを、ＧＮＤラインによって電気的に直接接続するように構成することで、バイアス電源１４と走査駆動手段１５と読み出し手段１６との間にＧＮＤ電位差が生じないように、すなわち、バイアス電源１４のＧＮＤ電位のゆらぎの波形と、走査駆動手段１５のＧＮＤ電位のゆらぎの波形と、読み出し手段１６のＧＮＤ電位のゆらぎの波形とが一致するようにしている。これにより、バイアス線９（或いは結線１０）と信号線６との交差部分に生じている寄生容量に蓄積される電荷量や、放射線検出素子７自体に生じる寄生容量に蓄積される電荷量が一定となり、ＧＮＤ電位差のゆらぎが原因のノイズ、具体的にはバイアス電圧のゆらぎに起因するノイズ等が重畳されていない画像データを読み出すことが可能となる。
具体的には、例えば、図１２に示す放射線画像撮影装置のように、バイアス電源１４のグランド端子１４１が、読み出し手段１６のグランド端子１６１を介さずに、電源部４１のグランドＧＮＤと接続されている場合には、たとえ、走査駆動手段１５のグランド端子１５１と読み出し手段１６のグランド端子１６１とを、接続手段５０によって電気的に直接接続したとしても、バイアス電源１４と走査駆動手段１５や読み出し手段１６との間にＧＮＤ電位差が生じてしまう。そこで、本実施形態では、走査駆動手段１５のグランド端子１５１と読み出し手段１６のグランド端子１６１とを、接続手段５０によって電気的に直接接続するとともに、バイアス電源１４のグランド端子１４１と読み出し手段１６のグランド端子１６１とを、ＧＮＤラインによって電気的に直接接続するように構成することで、バイアス電源１４と走査駆動手段１５と読み出し手段１６との間にＧＮＤ電位差が生じないようにしている。
【０１００】
また、本実施形態のように、制御部２２や電源部４１を介して、走査駆動手段１５のグランド端子１５１が電源部４１のグランドＧＮＤに接続されている場合、走査駆動手段１５に対して制御部２２や電源部４１からノイズが侵入してしまう虞がある。同様にして、本実施形態のように、制御部２２や電源部４１を介して、読み出し手段１６のグランド端子１６１が電源部４１のグランドＧＮＤに接続されている場合、読み出し手段１６に対して制御部２２や電源部４１からノイズが侵入してしまう虞がある。そのため、制御部２２や電源部４１からのノイズが放射線検出素子７から読み出されるべき真の画像データに重畳されてしまう可能性がある。
【０１０１】
これに対し、本実施形態では、走査駆動手段１５のグランド端子１５１と、制御部２２および電源部４１との間にノイズ抑制手段５１を挿入するとともに、読み出し手段１６のグランド端子１６１と、制御部２２および電源部４１との間にノイズ抑制手段５２を挿入することで、走査駆動手段１５や読み出し手段１６に対する制御部２２や電源部４１からのノイズの侵入を抑制するようにしている。これにより、制御部２２や電源部４１からのノイズの重畳が抑制された画像データを読み出すことが可能となる。
【０１０２】
この場合、ノイズ抑制手段５１、５２として、制御部２２や電源部４１からのノイズの侵入を防止できるものを採用すれば、制御部２２や電源部４１からのノイズが重畳されていない画像データを読み出すことが可能となり、より好適である。
したがって、ノイズ抑制手段５１、５２としては、制御部２２や電源部４１からのノイズの侵入を抑制、好ましくはノイズの侵入を防止できるものであれば、その構成は任意である。
【０１０３】
なお、本実施形態では、バイアス電源１４を、読み出し手段１６の電源回路１６ａを介して電源部４１と配線で結び、バイアス電源１４に、読み出し手段１６の電源回路１６ａを介して電源部４１から電力を供給するように構成したが、これに限定されることはなく、例えば、バイアス電源１４を、走査駆動手段１５の電源回路１５ａを介して電源部４１と配線で結んで、バイアス電源１４に、走査駆動手段１５の電源回路１５ａを介して電源部４１からの電力を供給するように構成しても良いし、バイアス電源１４用の電源回路を別途備え、バイアス電源１４を、当該バイアス電源１４用の電源回路を介して電源部４１と配線で結んで、バイアス電源１４に、当該バイアス電源１４用の電源回路を介して電源部４１からの電力を供給するように構成しても良い。
【０１０４】
なお、バイアス電源１４用の電源回路を別途備える場合、バイアス電源１４と走査駆動手段１５と読み出し手段１６との間にＧＮＤ電位差が生じないように、すなわち、バイアス電源１４のＧＮＤ電位のゆらぎの波形と、走査駆動手段１５のＧＮＤ電位のゆらぎの波形や読み出し手段１６のＧＮＤ電位のゆらぎの波形とが一致するようにするために、バイアス電源１４のグランド端子（具体的には、バイアス電源１４用の電源回路のグランド端子）を、走査駆動手段１５のグランド端子１５１および／または読み出し手段１６のグランド端子１６１と電気的に直接接続するように構成しても良い。
【０１０５】
また、バイアス電源１４用の電源回路を別途備える場合、バイアス電源１４に対する制御部２２や電源部４１からのノイズの侵入を抑制（好ましくは、ノイズの侵入を防止）するために、バイアス電源１４用の電源回路のグランド端子と、制御部２２および電源部４１との間にノイズ抑制手段を挿入するように構成しても良い。
【０１０６】
以上説明した第１の実施の形態における放射線画像撮影装置１によれば、走査駆動手段１５の電源回路１５ａのグランド端子１５１および読み出し手段１６の電源回路１６ａのグランド端子１６１は、放射線画像撮影装置のグランドレベルに接続されているとともに、走査駆動手段１５の電源回路１５ａのグランド端子１５１と読み出し手段１６の電源回路１６ａのグランド端子１６１とは、接続手段５０によって電気的に直接接続されている。
【０１０７】
すなわち、走査駆動手段１５と読み出し手段１６とが低インピーダンス接続されている。したがって、走査駆動手段１５のＧＮＤ電位のゆらぎの波形と、読み出し手段１６のＧＮＤ電位のゆらぎの波形とが一致し、走査駆動手段１５と読み出し手段１６との間にＧＮＤ電位差が生じないため、走査駆動手段１５と読み出し手段１６との間のＧＮＤ電位差のゆらぎが原因のノイズ、具体的には、走査線５に印加される電圧のゆらぎに起因するノイズ（横引きノイズなど）等が発生することがない。そのため、走査駆動手段１５と読み出し手段１６との間のＧＮＤ電位差のゆらぎが原因のノイズが重畳されていない画像データを読み出すことができる。
これにより、動作状態や環境温度などの変化の影響を受けない常に安定したノイズリダクション効果を得ることが可能となり、常に適切な画質の放射線画像を得ることができる。そのため、このような放射線画像を用いて診断を行うような場合に、医師等が病変部を見落としたり、正常な部分を病変部と見誤ったりして誤診が生じる等の不都合が生じることを的確に防止することが可能となる。
【０１０８】
また、以上説明した第１の実施の形態における放射線画像撮影装置１によれば、走査駆動手段１５の電源回路１５ａのグランド端子１５１は、制御部２２および電源部４１を介して、電源部４１のグランドＧＮＤと電気的に接続することで、放射線画像撮影装置１のグランドレベルに接続され、読み出し手段１６の電源回路１６ａのグランド端子１６１は、制御部２２および電源部４１を介して、電源部４１のグランドＧＮＤと電気的に接続することで、放射線画像撮影装置１のグランドレベルに接続され、走査駆動手段１５の電源回路１５ａのグランド端子１５１と、制御部２２および電源部４１との間に挿入され、走査駆動手段１５に対するノイズの侵入を抑制するノイズ抑制手段５１と、読み出し手段１６の電源回路１６ａのグランド端子１６１と、制御部２２および電源部４１との間に挿入され、読み出し手段１６に対するノイズの侵入を抑制するノイズ抑制手段５２と、を備えている。
【０１０９】
すなわち、走査駆動手段１５と制御部２２および電源部４１との間のインピーダンスが高められているとともに、読み出し手段１６と制御部２２および電源部４１との間のインピーダンスが高められている。したがって、走査駆動手段１５や読み出し手段１６に対する制御部２２や電源部４１からのノイズの侵入が抑制されるため、制御部２２や電源部４１からのノイズ、具体的にはデジタルノイズや電流変動によるノイズなどのノイズの重畳が抑制された画像データを読み出すことができる。
これにより、制御部２２や電源部４１でデジタルノイズや電流変動によるノイズなどのノイズが発生したとしても、このようなノイズの影響が軽減されるため、安定したノイズリダクション効果を得ることが可能となる。
【０１１０】
また、以上説明した第１の実施の形態における放射線画像撮影装置１によれば、放射線検出素子７にバイアス線９および結線１０を介してバイアス電圧を印加するバイアス電源１４を備え、読み出し手段１６の電源回路１６ａは、電源部４１から供給された電力に基づいて、バイアス電源１４に電力を供給するよう構成されている。
【０１１１】
したがって、バイアス電源１４のＧＮＤ電位のゆらぎの波形と、走査駆動手段１５のＧＮＤ電位のゆらぎの波形と、読み出し手段１６のＧＮＤ電位のゆらぎの波形とが一致し、バイアス電源１４と走査駆動手段１５と読み出し手段１６との間にＧＮＤ電位差が生じないため、バイアス電源１４と走査駆動手段１５との間のＧＮＤ電位差のゆらぎが原因のノイズや、バイアス電源１４と読み出し手段１６との間のＧＮＤ電位差のゆらぎが原因のノイズ、具体的には、バイアス電圧のゆらぎに起因するノイズ等が重畳されていない画像データを読み出すことができる。
これにより、動作状態や環境温度などの変化の影響を受けない、より安定したノイズリダクション効果を常に得ることが可能となる。
【０１１２】
＜変形例１＞
次に、本実施形態の変形例１について説明する。
本実施形態では、走査駆動手段１５の電源回路１５ａのグランド端子１５１と、読み出し手段１６の電源回路１６ａのグランド端子１６１との両方を、接続手段５０と接続するとともに、放射線画像撮影装置１のグランドレベルに接続するように構成したが、これに限ることはなく、グランド端子１５１およびグランド端子１６１のうち、いずれか一方は放射線画像撮影装置１のグランドレベルに接続させなくても良い。
【０１１３】
具体的には、例えば、図８に示すように、読み出し手段１６の電源回路１６ａのグランド端子１６１が放射線画像撮影装置１のグランドレベルに接続しているのであれば、走査駆動手段１５の電源回路１５ａのグランド端子１５１は放射線画像撮影装置１のグランドレベルに接続させなくても良い。
この場合、走査駆動手段１５の電源回路１５ａのグランド端子１５１は、接続手段５０、読み出し手段１６の電源回路１６ａのグランド端子１６１および電源部４１を介して電源部４１のグランドＧＮＤと電気的に接続することで、放射線画像撮影装置１のグランドレベルに接続されている。
また、この場合、読み出し手段１６の電源回路１６ａのグランド端子１６１と、制御部２２および電源部４１との間に挿入されているノイズ抑制手段５２が、バイアス電源１４や、走査駆動手段１５、読み出し手段１６に対するノイズの侵入を抑制するノイズ抑制手段として機能する。
【０１１４】
或いは、例えば、図９に示すように、走査駆動手段１５の電源回路１５ａのグランド端子１５１が放射線画像撮影装置１のグランドレベルに接続しているのであれば、読み出し手段１６の電源回路１６ａのグランド端子１６１は放射線画像撮影装置１のグランドレベルに接続させなくても良い。
この場合、読み出し手段１６の電源回路１６ａのグランド端子１６１は、接続手段５０、走査駆動手段１５の電源回路１５ａのグランド端子１５１および電源部４１を介して電源部４１のグランドＧＮＤと電気的に接続することで、放射線画像撮影装置１のグランドレベルに接続されている。
また、この場合、走査駆動手段１５の電源回路１５ａのグランド端子１５１と、制御部２２および電源部４１との間に挿入されているノイズ抑制手段５１が、バイアス電源１４や、走査駆動手段１５、読み出し手段１６に対するノイズの侵入を抑制するノイズ抑制手段として機能する。
【０１１５】
本変形例の場合も、第１の実施の形態の場合と同様の作用・効果を得ることができる。
【０１１６】
＜変形例２＞
次に、本実施形態の変形例２について説明する。
本実施形態では、走査駆動手段１５と読み出し手段１６との両方を、制御部２２と直接接続するように構成したが、これに限ることはなく、少なくともいずれか一方は、電源部４１を介して制御部２２と接続するように構成しても良い。
【０１１７】
具体的には、例えば、図１０に示すように、走査駆動手段１５を、電源部４１と直接接続して、電源部４１を介して制御部２２と接続するとともに、読み出し手段１６を、電源部４１と直接接続して、電源部４１を介して制御部２２と接続するように構成しても良い。
【０１１８】
この場合、走査駆動手段１５に対する制御部２２からの制御信号の入力は、電源部４１を介して行われる。
また、走査駆動手段１５の電源回路１５ａのグランド端子１５１は、ノイズ抑制手段５１および電源部４１を介して、電源部４１のグランドＧＮＤと電気的に接続することで、放射線画像撮影装置１のグランドレベルに接続されている。そして、ノイズ抑制手段５１は、走査駆動手段１５の電源回路１５ａのグランド端子１５１と電源部４１との間に挿入されて、走査駆動手段１５に対する制御部２２や電源部４１からのノイズの侵入を抑制するようになっている。
【０１１９】
また、この場合、バイアス電源１４や読み出し手段１６に対する制御部２２からの制御信号の入力や、制御部２２に対する読み出し手段１６からの画像データの入力は、電源部４１を介して行われる。
また、読み出し手段１６の電源回路１６ａのグランド端子１６１は、ノイズ抑制手段５２および電源部４１を介して、電源部４１のグランドＧＮＤと電気的に接続することで、放射線画像撮影装置１のグランドレベルに接続されている。そして、ノイズ抑制手段５２は、読み出し手段１６の電源回路１６ａのグランド端子１６１と電源部４１との間に挿入されて、バイアス電源１４や読み出し手段１６に対する制御部２２や電源部４１からのノイズの侵入を抑制するようになっている。
【０１２０】
なお、図１０では、走査駆動手段１５と読み出し手段１６との両方を、電源部４１と直接接続して、電源部４１を介して制御部２２と接続するように構成したが、これに限ることはなく、走査駆動手段１５と読み出し手段１６とのいずれか一方を、電源部４１と直接接続して、電源部４１を介して制御部２２と接続し、いずれか他方を、制御部２２と直接接続して、制御部２２を介して電源部４１と接続するように構成しても良い。
【０１２１】
本変形例の場合も、第１の実施の形態の場合と同様の作用・効果を得ることができる。
【０１２２】
［第２の実施の形態］
次に、第２の実施の形態における放射線画像撮影装置について説明する。
なお、第２の実施の形態の放射線画像撮影装置１は、走査駆動手段１５の電源回路１５ａと読み出し手段１６の電源回路１６ａとが共通である点が、第１の実施の形態の放射線画像撮影装置１と異なる。したがって、以下では、第１の実施の形態と異なる箇所のみについて説明し、その他の共通する部分は同一符号を付して説明は省略する。
【０１２３】
具体的には、本実施形態の放射線画像撮影装置１において、走査駆動手段１５は、ゲート走査線駆動部１５ｂは備えているが、電源回路１５ａは備えておらず、また、読み出し手段１６は、読み出しＩＣ１６ｂは備えているが、電源回路１６ａは備えていない。そして、バイアス電源１４や、ゲート走査線駆動部１５ｂ、読み出しＩＣ１６ｂなどは、同一の基板内に収められており、共通の電源回路である電源回路６０から電力の供給を受けたり、電源回路６０を介して制御部２２からの制御信号の入力を受けたりするように構成されている。
【０１２４】
すなわち、電源回路６０は、電源部４１から供給された電力に基づいて、読み出しＩＣ１６ｂを構成する各部やバイアス電源１４に対して電力を供給するとともに、走査線５の各ラインＬ１〜Ｌｘを介してＴＦＴ８のゲート電極８ｇに印加するオン電圧およびオフ電圧をゲート走査線駆動部１５ｂに対して供給するように構成されている。
【０１２５】
そして、電源回路６０のグランド端子６０１は、制御部２２および電源部４１を介して、電源部４１のグランドＧＮＤと電気的に接続することで、放射線画像撮影装置１のグランドレベルに接続、すなわち接地されている。
また、電源回路６０のグランド端子６０１と、制御部２２および電源部４１との間には、バイアス電源１４や、走査駆動手段１５、読み出し手段１６に対するノイズの侵入を抑制するノイズ抑制手段として機能するノイズ抑制手段６１が挿入されている。
【０１２６】
なお、本実施形態では、図１１に示すように、ゲート走査線駆動部１５ｂは、電源回路６０を介して制御部２２と配線で結ばれており、電源回路６０を介して制御部２２から制御信号が入力されるように構成されているが、これに限定されることはなく、ゲート走査線駆動部１５ｂに対し、電源回路６０を介して電源部４１から電力が供給されるのであれば、ゲート走査線駆動部１５ｂを、制御部２２と配線で直接結んで、制御部２２から制御信号が直接入力されるように構成しても良い。
【０１２７】
また、本実施形態では、図１１に示すように、読み出しＩＣ１６ｂは、電源回路６０を介して制御部２２と配線で結ばれており、電源回路６０を介して制御部２２から制御信号が入力されたり、電源回路６０を介して制御部２２に画像データを出力したりするように構成されているが、これに限ることはなく、読み出しＩＣ１６ｂに対し、電源回路６０を介して電源部４１から電力が供給されるのであれば、読み出しＩＣ１６ｂを、制御部２２と配線で直接結んで、制御部２２から制御信号が直接入力されたり、制御部２２に画像データを直接出力したりするように構成しても良い。
【０１２８】
また、本実施形態では、図１１に示すように、バイアス電源１４は、電源回路６０を介して制御部２２と配線で結ばれており、電源回路６０を介して制御部２２から制御信号が入力されるように構成されているが、これに限ることはなく、バイアス電源１４を、制御部２２と配線で直接結んで、制御部２２から制御信号が直接入力されるように構成しても良い。
【０１２９】
次に、本実施形態に係る放射線画像撮影装置１の作用について説明する。
【０１３０】
本実施形態では、走査駆動手段１５の電源回路と読み出し手段１６の電源回路を共通にすることで、走査駆動手段１５と読み出し手段１６との間にＧＮＤ電位差が生じないように、すなわち、走査駆動手段１５のＧＮＤ電位のゆらぎの波形と、読み出し手段１６のＧＮＤ電位のゆらぎの波形とが一致するようにしている。これにより、ＧＮＤ電位差のゆらぎが原因のノイズ、具体的には走査線５に印加される電圧のゆらぎに起因するノイズ（横引きノイズなど）等が重畳されていない画像データを読み出すことが可能となる。
【０１３１】
なお、この他の点は第１の実施の形態で示したものと同様であるので、その説明は省略する。
【０１３２】
以上説明した第２の実施の形態における放射線画像撮影装置１によれば、走査駆動手段１５の電源回路と読み出し手段１６の電源回路とは共通の電源回路、すなわち電源回路６０である。
【０１３３】
したがって、走査駆動手段１５のＧＮＤ電位のゆらぎの波形と、読み出し手段１６のＧＮＤ電位のゆらぎの波形とが一致し、走査駆動手段１５と読み出し手段１６との間にＧＮＤ電位差が生じないため、走査駆動手段１５と読み出し手段１６との間のＧＮＤ電位差のゆらぎが原因のノイズ、具体的には、走査線５に印加される電圧のゆらぎに起因するノイズ（横引きノイズなど）等が発生することがない。そのため、走査駆動手段１５と読み出し手段１６との間のＧＮＤ電位差のゆらぎが原因のノイズが重畳されていない画像データを読み出すことができる。
これにより、動作状態や環境温度などの変化の影響を受けない常に安定したノイズリダクション効果を得ることが可能となり、常に適切な画質の放射線画像を得ることができる。そのため、このような放射線画像を用いて診断を行うような場合に、医師等が病変部を見落としたり、正常な部分を病変部と見誤ったりして誤診が生じる等の不都合が生じることを的確に防止することが可能となる。
【０１３４】
また、以上説明した第２の実施の形態における放射線画像撮影装置１によれば、共通の電源回路６０のグランド端子６０１は、制御部２２および電源部４１を介して、電源部４１のグランドＧＮＤと電気的に接続することで、放射線画像撮影装置１のグランドレベルに接続されており、共通の電源回路６０のグランド端子６０１と、制御部２２および電源部４１の間に挿入され、走査駆動手段１５や読み出し手段１６に対するノイズの侵入を抑制するノイズ抑制手段６１を備えている。
【０１３５】
したがって、走査駆動手段１５や読み出し手段１６に対する制御部２２や電源部４１からのノイズの侵入が抑制されるため、制御部２２や電源部４１からのノイズ、具体的にはデジタルノイズや電流変動によるノイズなどのノイズの重畳が抑制された画像データを読み出すことができる。
これにより、制御部２２や電源部４１でデジタルノイズや電流変動によるノイズなどのノイズが発生したとしても、このようなノイズの影響が軽減されるため、安定したノイズリダクション効果を得ることが可能となる。
【０１３６】
なお、この他の点は第１の実施の形態で示したものと同様であるので、その説明は省略する。
【０１３７】
なお、本発明が、上記の実施の形態に限定されず、適宜変更可能であることは言うまでもない。
また、上述の実施形態及び変形例の構成を組み合わせて適用しても良い。
【産業上の利用可能性】
【０１３８】
放射線画像撮影を行う分野（特に医療分野）において利用可能性がある。
【符号の説明】
【０１３９】
１  放射線画像撮影装置
５  走査線
６  信号線
７  放射線検出素子
８  ＴＦＴ（スイッチ手段）
９  バイアス線
１０  結線（バイアス線）
１４  バイアス電源
１５  走査駆動手段
１５ａ  電源回路（走査駆動用電源回路）
１５ｂ  ゲート走査線駆動部
１６  読み出し手段
１６ａ  電源回路（読み出し用電源回路）
１６ｂ  読み出しＩＣ（読み出し部）
２２  制御部
４１  電源部
５０  接続手段
５１  ノイズ抑制手段（走査駆動用ノイズ抑制手段）
５２  ノイズ抑制手段（読み出し用ノイズ抑制手段）
６０  電源回路（共通の電源回路）
６１  ノイズ抑制手段
１５１  グランド端子（走査駆動用電源回路のグランド端子）
１６１  グランド端子（読み出し用電源回路のグランド端子）
６０１  グランド端子（共通の電源回路のグランド端子）
ＧＮＤ  グランド（電源部のグランド）
ｒ  領域
Ｐ  検出部
【図１】
2011161988.tif 000003
【図２】
2011161988.tif 000004
【図３】
2011161988.tif 000005
【図４】
2011161988.tif 000006
【図５】
2011161988.tif 000007
【図６】
2011161988.tif 000008
【図７】
2011161988.tif 000009
【図８】
2011161988.tif 000010
【図９】
2011161988.tif 000011
【図１０】
2011161988.tif 000012
【図１１】
2011161988.tif 000013
【図１２】
2011161988.tif 000014
【図１３】
2011161988.tif 000015
【国際調査報告】
2011161988.tif 000016
2011161988.tif 000017
2011161988.tif 000018
2011161988.tif 000019